(57)【要約】【課題】２方式カード共通リーダライタ並びにこれを用いた２方式カード管理システムを提供する。【解決手段】第１、第２の変調方式で各々送受信を行いかつ電子マネーチャージ額を記憶するカード記憶部をそれぞれ備えた第１及び第２方式カードの双方との間で非接触にてデータ送受信を行う２方式カード共通カードリーダライタであって、第１方式ポーリング手段と、第２方式ポーリング手段と、カードに対して前記第１及び第２方式ポーリング手段によるデータ送受信を試み、応答信号の検出により第１方式か第２方式かを判定する手段と、品目と価格とを対応付けて予め記憶部に記憶する手段と、購入品目の指定の入力を受け付け、指定された品目の価格を前記記憶部から取得する手段と、カード記憶部の電子マネーチャージ額を書き換えさせるべく、各方式のカードに対し各変調方式で送受信を行うように制御する手段とを有する。【選択図】図１
2010165192.tif 000002
【特許請求の範囲】
【請求項１】
第１の変調方式で送受信を行いかつ電子マネーチャージ額を記憶するカード記憶部を備えた第１方式カード及び第２の変調方式で送受信を行いかつ電子マネーチャージ額を記憶するカード記憶部を備えた第２方式カードの双方との間で非接触にてデータ送受信を行う２方式カード共通カードリーダライタであって、
第１の変調方式でポーリングを行う第１方式ポーリング手段と、
第２の変調方式でポーリングを行う第２方式ポーリング手段と、
カードに対して前記第１方式ポーリング手段及び第２方式ポーリング手段によるデータ送受信を試み、応答信号の検出により当該カードの変調方式を決定し、第１方式カードか第２方式カードかを判定する手段と、
品目と価格とを対応付けて予め記憶部に記憶する手段と、
購入する品目の指定の入力を受け付け、指定された品目の価格を前記記憶部から取得する手段と、
カード記憶部の電子マネーチャージ額を前記品目の価格に基づいて書き換えさせるべく、第１方式カードと判定されたカードに対しては第１の変調方式で当該カードと送受信を行うように、第２方式カードと判定されたカードに対しては第２の変調方式で当該カードと送受信を行うように制御する手段とを有することを特徴とする
２方式カード共通リーダライタ。
【請求項２】
前記品目と価格とを対応付けて予め記憶部に記憶する手段が、
１つの品目に対して第１方式カードと第２方式カードの各々に対して別々の価格を対応付けて予め記憶部に記憶しており、
前記指定された品目の価格を前記記憶部から取得する手段が、
カードが前記第１方式カードと判定された場合には第１方式カードに対応付けられた価格を取得し、カードが前記第２方式カードと判定された場合には第２方式カードに対応付けられた価格を取得することを特徴とする、請求項１に記載の２方式カード共通リーダライタ。
【請求項３】
第１方式カード及び第２方式カードの各々のカード記憶部に個々のカード固有の識別情報が記憶されており、
前記非接触カードリーダライタは、
カード固有の識別情報と入退室可否とを対応付けて予め記憶部に記憶する手段と、
入退室要求を受け付け、当該カードの識別情報を読み取り、前記記憶部を参照して入退室可否を判定する手段とをさらに備えたことを特徴とする、請求項１または２に記載の２方式カード共通リーダライタ。
【請求項４】
請求項１〜３のいずれかに記載の２方式カード共通リーダライタと、
前記第１方式カードまたは第２方式カードのいずれかのみとの間で非接触にてデータ送受信を行う専用リーダライタと、
前記２方式カード共通リーダライタ、前記専用リーダライタとネットワークを介して接続されたカード管理サーバとを備えた２方式カード管理システムであって、
前記カード管理サーバが、前記リーダライタの各々の行った処理結果を該リーダライタから受信する手段と、
受信した前記処理結果をデータベースに記録する手段とを備えたことを特徴とする２方式カード管理システム。
【請求項５】
請求項１〜３のいずれかに記載の２方式カード共通リーダライタと、
前記第１方式カードのみとの間で非接触にてデータ送受信を行う第１方式カード専用リーダライタと、
前記第２方式カードのみとの間で非接触にてデータ送受信を行う第２方式カード専用リーダライタと、
前記２方式カード共通リーダライタ、前記第１方式カード専用リーダライタ及び前記第２方式カード専用リーダライタとネットワークを介して接続されたカード管理サーバとを備えた２方式カード管理システムであって、
前記カード管理サーバが、前記リーダライタの各々の行った処理結果を該リーダライタから受信する手段と、
受信した前記処理結果をデータベースに記録する手段とを備えたことを特徴とする２方式カード管理システム。
【発明の詳細な説明】
【技術分野】
【０００１】
本発明は、非接触型ＩＣカードのリーダライタであって、変調方式の異なる２種のカードの読取り書込みを行う共通リーダライタ、並びに、２種のカードを管理するカード管理システムに関する。  
【背景技術】
【０００２】
近接型ＩＣカードの１つに、ISO/IEC14443のTypeＡがあり、TypeＡの代表的なものとしては、Mifare（登録商標）がある。一方、日本国内で交通機関を中心として普及しているFeliCa（登録商標）がある。Mifare（登録商標）は、FeliCa（登録商標）に比べて簡易な認証方法を用いているが、低コストであり、一般的なプリペイドカードとしての利用が多い。Felica（登録商標）は、高機能、高セキュリティであるが、イニシャルコスト及びランニングコストともに高くなる。
【０００３】
これら２つの方式のカードが混在する環境では、それぞれのカードに対応するリーダライタ（カード読取書込機）が必要となり、コストが掛かる上に、双方のカードの利用者を混乱させるおそれがある。そこで特許文献１、２のように異なる２つの変調方式のカードのいずれも読み書き可能なリーダライタが、提案されている。
【先行技術文献】
【特許文献】
【０００４】
【特許文献１】特開２００２−３４２７２５号公報
【特許文献２】特開２００４−２２０１１７号公報
【発明の概要】
【発明が解決しようとする課題】
【０００５】
例えば、病院という環境には、大きく分けて患者と職員の２つのグループが存在する。患者は、病室内のテレビやインターネットの利用あるいはランドリーの利用の精算のためにプリペイドカードを利用することが中心となる。この目的には、Mifare（登録商標）カードが適している。一方、職員は、病院内の各部屋への入退室や各施設の利用可否の管理あるいは就業管理などセキュリティ確保を中心としかつ食堂や売店での精算のためのプリペイド機能を付加した多機能カードを利用することになる。この目的には、Felica（登録商標）カードが適している。病院以外にも、教師と生徒の存在する学校や、管理職と一般職の存在する職域などでも同様の状況がある。
【０００６】
従来、病院等の環境下において、上記２種類の非接触ＩＣカードを導入し、共通利用範囲と専用利用範囲を使い分け、特に双方の非接触ＩＣカードを同じ用途（カード精算や入退室管理）に共通利用させるシステムは、具体的に提案されていない。本発明は、２方式カード共通リーダライタ並びにこれを用いた２方式カード管理システムを提供することを目的とする。
【課題を解決するための手段】
【０００７】
以下、Mifare（登録商標）カードを「第１方式カード」と称し、Felica（登録商標）カードを「第２方式カード」と称する。
【０００８】
本発明による２方式カード共通リーダライタは、第１の変調方式で送受信を行いかつ電子マネーチャージ額を記憶するカード記憶部を備えた第１方式カード及び第２の変調方式で送受信を行いかつ電子マネーチャージ額を記憶するカード記憶部を備えた第２方式カードの双方との間で非接触にてデータ送受信を行う２方式カード共通リーダライタであって、第１の変調方式でポーリングを行う第１方式ポーリング手段と、第２の変調方式でポーリングを行う第２方式ポーリング手段と、カードに対して前記第１方式ポーリング手段及び第２方式ポーリング手段によるデータ送受信を試み、応答信号の検出により当該カードの変調方式を決定し、第１方式カードか第２方式カードかを判定する手段と、品目と価格とを対応付けて予め記憶部に記憶する手段と、購入する品目の指定の入力を受け付け、指定された品目の価格を前記記憶部から取得する手段と、カード記憶部の電子マネーチャージ額を前記品目の価格に基づいて書き換えさせるべく、第１方式カードと判定されたカードに対しては第１の変調方式で当該カードと送受信を行うように、第２方式カードと判定されたカードに対しては第２の変調方式で当該カードと送受信を行うように制御する手段とを有することを特徴とする。
【０００９】
上記２方式カード共通リーダライタにおいて、前記品目と価格とを対応付けて予め記憶部に記憶する手段が、１つの品目に対して第１方式カードと第２方式カードの各々に対して別々の価格を対応付けて予め記憶部に記憶しており、前記指定された品目の価格を前記記憶部から取得する手段が、カードが前記第１方式カードと判定された場合には第１方式カードに対応付けられた価格を取得し、カードが前記第２方式カードと判定された場合には第２方式カードに対応付けられた価格を取得することが好適である。
【００１０】
上記２方式カード共通リーダライタにおいて、第１方式カード及び第２方式カードの各々のカード記憶部に個々のカード固有の識別情報が記憶されており、前記非接触カードリーダライタは、カード固有の識別情報と入退室可否とを対応付けて予め記憶部に記憶する手段と、入退室要求を受け付け、当該カードの識別情報を読み取り、前記記憶部を参照して入退室可否を判定する手段とをさらに備えたことが好適である。
【００１１】
また、本発明による２方式カード管理システムの一形態は、上記のいずれかの２方式カード共通リーダライタと、前記第１方式カードまたは第２方式カードのいずれかのみとの間で非接触にてデータ送受信を行う専用リーダライタと、前記２方式カード共通リーダライタ、前記専用リーダライタとネットワークを介して接続されたカード管理サーバとを備えた２方式カード管理システムであって、前記カード管理サーバが、前記リーダライタの各々の行った処理結果を該リーダライタから受信する手段と、受信した前記処理結果をデータベースに記録する手段とを備えたことを特徴とする。
【００１２】
さらにまた、本発明による２方式カード管理システムの別の形態は、上記のいずれかの２方式カード共通リーダライタと、前記第１方式カードのみとの間で非接触にてデータ送受信を行う第１方式カード専用リーダライタと、前記第２方式カードのみとの間で非接触にてデータ送受信を行う第２方式カード専用リーダライタと、前記２方式カード共通リーダライタ、前記第１方式カード専用リーダライタ及び前記第２方式カード専用リーダライタとネットワークを介して接続されたカード管理サーバとを備えた２方式カード管理システムであって、前記カード管理サーバが、前記リーダライタの各々の行った処理結果を該リーダライタから受信する手段と、受信した前記処理結果をデータベースに記録する手段とを備えたことを特徴とする。
【発明の効果】
【００１３】
本発明によれば、１つの非接触カードリーダライタにより、低コストの第１方式カードと、セキュリティ性及び機能性の高い高コストの第２方式カードとを同時に利用することができる。特に、単にカード方式を判別してそれぞれの専用用途に利用させるのではなく、異なる方式のカードを共通する用途に利用させることで、効率的なシステム運用が可能となる。必要に応じて低コストカードと高コストカードを使い分けることで、システムコストを低減することができる。
【図面の簡単な説明】
【００１４】
【図１】本発明の非接触カードリーダライタ（共通リーダライタ）を用いた実施例のシステム構成図である。
【図２】(Ａ)は第１方式カードの、(Ｂ)は第２方式カードの概略構成図である。
【図３】(Ａ)(Ｂ)は、カード管理サーバのデータベースを構成する種々のテーブルの一例を示す。
【図４】(Ａ)(Ｂ)は、カード管理サーバのデータベースを構成する種々のテーブルの一例を示す。
【図５】(Ａ)(Ｂ)は、カード管理サーバのデータベースを構成する種々のテーブルの一例を示す。
【図６】(Ａ)(Ｂ)(Ｃ)(Ｄ)は、共通リーダライタの記憶部に予め格納される種々のテーブルの一例を示している。
【図７】共通リーダライタのカード発行／チャージ処理フローの一例を示している。
【図８】共通リーダライタのカード方式判定処理フローの一例を示している。
【図９】共通リーダライタのカード精算処理フローの一例を示している。
【図１０】共通リーダライタのカード精算処理フローの別の例を示している。
【図１１】共通リーダライタの入退室管理処理フローの一例を示している。
【発明を実施するための形態】
【００１５】
以下、本発明の実施例を示した図面を参照し、本発明の実施形態を説明する。なお、本発明を病院の環境に適用した実施例について説明するが、本発明は、学校や職域など同様の環境においても適用可能である。
図１は、本発明による２方式カード共通リーダライタ、第１方式カード専用リーダライタ及び第２方式カード専用リーダライタを含むカード管理システムの一実施例の概略構成図である。以下、２方式カード共通リーダライタを「共通リーダライタ」と、第１方式カード専用リーダライタを「第１方式リーダライタ」と、第２方式カード専用リーダライタを「第２方式リーダライタ」と、略称する。
【００１６】
第１方式カード１は、ISO/IEC14443のTypeＡのMifare（登録商標）カードであり、第２方式カード２は、FeliCa（登録商標）カードである。共通リーダライタ３は、非接触カードリーダライタであり、第１方式カード１及び第２方式カード２の双方と非接触にてデータ送受信を行う機能を備えている。実施例のシステムには、その他のリーダライタとして、第１方式カードのみに対応した第１方式リーダライタ６、第２方式カードのみに対応した第２方式リーダライタ７が設置されているが、この２つの専用リーダライタは、必要に応じていずれか一方のみを設置してもよい。
【００１７】
これらのリーダライタ３、６、７は、システムを設ける環境に応じてそれぞれ複数台を設置してもよい。共通リーダライタ３としては、売店ＰＯＳレジ端末、食券機、自動販売機、入退室管理機などがある。第１方式リーダライタ６としては、病室の床頭台端末、生徒施設専用端末などがある。第２方式リーダライタ７としては、病院職員施設専用端末、教師施設専用端末などがある。
【００１８】
本実施例では、共通利用施設におけるカード精算機能をもつ共通リーダライタ３(売店ＰＯＳレジ端末、食券機、自動販売機等)は、共通利用施設に関するプリペイド機能すなわちカード精算処理を行う。入退室管理機である共通リーダライタ３は、入退室管理処理を行う。カード発行／チャージ機能を有する共通リーダライタ３は、カード発行及び電子マネーチャージ処理を行う。なお、１つの共通リーダライタ３が２つの機能を備えていてもよい。例えば、食券機にチャージ機能を付加する等である。
【００１９】
第１方式リーダライタ６は、第１方式カード固有の機能に関する処理を行い、例えば、病院における床頭台端末の場合は、テレビ、冷蔵庫、インターネット等の病室内施設利用に関するリペイド機能すなわちカード精算処理を行う。また例えば、ランドリー端末の場合は、ランドリー利用に関するプリペイド機能すなわちカード精算処理を行う。
【００２０】
第２方式リーダライタ７は、第２方式カード固有の機能に関する処理を行い、例えば、職員のみが利用するキャビネットやコピー機等の施設利用記録処理、職員の就業履歴記録処理等を行う。、
【００２１】
カード管理サーバ４は、これらのリーダライタ３、６、７と、ＬＡＮ等のネットワーク８を介して接続されている。カード管理サーバ４は、これらのリーダライタ３、６、７を統括するセンターサーバであり、これらのリーダライタ３、６、７との間でデータ送受信を行い、必要な情報を提供したり、送られてきた情報をデータベース５に格納したりする。
【００２２】
共通リーダライタ３は、主たる構成要素として、制御部３１、送信部３２、受信部３３、方式判定部３４、記憶部３５、入力部３６、表示部３７、ネットワーク部３８及びカード発行部３９を備えている。
【００２３】
制御部３１は、ＣＰＵとメモリ(図示せず)とを有し、記憶部３５に格納された適宜のプログラムをメモリに読み出しＣＰＵが実行することにより、種々の機能のための演算処理を行ったり、他の構成要素を制御するための制御信号を発生する。送受信／ネットワーク制御部３１ａは、２種類のカード１、２との送受信の制御及びカード管理サーバ４との送受信の制御を行う。カードアプリケーション制御部３１ｂは、各カードに搭載された種々のアプリケーションプログラムに関連する処理を行う。例えば、カード発行／チャージ処理部３１ｂ１、カード精算処理部３１ｂ２、入退室管理処理部３１ｂ３がある。
【００２４】
送信部３２は、搬送波発振回路３２ａと変調回路３２ｂを備え、制御部３１の制御に従って所定の周波数の発振信号を所定のパターンで変調してアンテナを駆動する。受信部３３は、復調回路３３ａと２値化回路３３ｂを備え、アンテナで受信した信号を検波してアナログデジタル変換を行って２値化して所定のコードとし、制御部３１へ送る。
【００２５】
方式判定部３４は、共通リーダライタ３に対してかざされたカードが、第１方式カード１であるか第２方式カード２であるかを判定するために設けられ、第１カード方式でポーリングするための信号を発生する第１ポーリング発生部３４ａと、第２カード方式でポーリングするための信号を発生する第２ポーリング発生部３４ｂとを備える。第１ポーリング発生部３４ａ及び第２ポーリング発生部３４ｂの各々からの信号発生タイミングは、制御部３１により制御され、送信部３２へ送られる。
【００２６】
記憶部３５は、共通リーダライタ３の全ての機能に必要なプログラムを格納し、また、特にカードアプリケーションに関連する必要な情報を適宜のテーブル形式で予め格納している。
【００２７】
入力部３６は、カード保有者や共通リーダライタ３の管理者が所定の情報を入力するために設けられ、多様な形態を採りうる。例えば、共通リーダライタ３が売店ＰＯＳレジ端末の場合はバーコードリーダやキーボード、食券機や自動販売機の場合は選択ボタンやタッチスクリーン、入退室管理機の場合はキーボードや生体情報検出器等である。
【００２８】
表示部３７は、カード保有者や共通リーダライタ３の管理者に対して必要な情報を表示するために設けられ、多様な形態を採りうる。テキスト情報のみ表示する画面、画像表示可能な画面、ＬＥＤ素子等である。
【００２９】
ネットワーク部３８は、ネットワーク８を介したデータ送受信機能を有する。
【００３０】
カード発行部３９は、共通リーダライタ３が、第１方式カード１または第２方式カード２の発行機能を有する場合に設けられる。図示しないが、複数の未発行カードを蓄積したカード蓄積空間、カード送出口、現金投入口、現金保管空間等のカード発行に必要な部品を有する。
【００３１】
カード管理サーバ４は、適宜のコンピュータにより実施され、主たる構成要素として、制御部４１及びネットワーク部４２を備える。
制御部４１は、データ処理部として、患者施設カード精算記録部４１ａのように第１方式リーダライタ６に関連した処理を行う部分と、カード発行／チャージ記録部４１ｂ、共通施設カード精算記録部４１ｃ及び入退室記録部４１ｄのように共通リーダライタ３に関連した処理を行う部分と、職員施設利用記録部４１ｅ及び就業履歴記録部４１ｇのように第２方式リーダライタ７に関連した処理を行う部分とを有する。
ネットワーク部４２は、ネットワーク８を介したデータ送受信機能を有する。
【００３２】
図２(Ａ)は第１方式カードの、(Ｂ)は第２方式カードの概略構成図である。(Ａ)に示すように、第１方式カード１は、リーダライタからの電磁波を送受信するアンテナ１３を有する。リーダライタからの電磁波の搬送波はカードへの電力供給用であり、電力生成回路１４は、アンテナ１３で受信した電磁波を整流して直流電力に変換し制御部１１に供給する。これにより制御部１１が起動する。受信部１５はアンテナ１３で受信した電磁波を復調してリーダライタからのコマンドを生成し制御部１１へ送る。送信部１６は、制御部１１から受け取ったコマンドに基づき、第１カード方式により搬送波を変調してアンテナ１３を駆動する。記憶部１２は、制御用プログラムとアプリケーションプログラムが格納されている。呼出コード１２ａは、第１方式カード１が、自身がリーダライタから呼び出されているか否かを判断するために予め格納されているコードである。データエリアには、カード固有の識別情報であるカードＩＤ、プリペイド機能や入退室管理機能のためのアプリケーションプログラムも格納されている。図示しないが、プリペイド機能に関連して電子マネーチャージ金額の記憶エリアも設けられている。
【００３３】
図２(Ｂ)に示す第２方式カードも基本構成は、第１方式カードと共通している。セキュリティ機能は、第２方式カードの方が高度であり、アプリケーションプログラムの種類も豊富に設定できる。
【００３４】
図３〜図５は、カード管理サーバ４と連携して動作するデータベース５を構成する種々のテーブルの一例を示すが、データベース５の構成はこれに限られない。各テーブルは共通するデータ項目を介してリンクしており、関係データベースを形成している。
【００３５】
図３(Ａ)は、第１方式カード管理テーブル５１である。このテーブル５１においては、カード発行機能を有する共通リーダライタから第１方式カードのカード発行情報を受信したときに新規レコードが作成される。データ項目としては、例えば「カードＩＤ」、「発行年月日」、「初回チャージ額」がある。本実施例では、第１方式カードについてはセキュリティ性をあまり重視せず、主としてプリペイドカードとして利用することを想定しており、基本的には個々のカード毎にカード保有者を特定する管理を行わない。なお、第１方式カードの別の実施例として、個々のカード毎にカード保有者を特定して管理してもよく、その場合は、第１方式カード管理テーブル５１に、カード保有者の個人情報（氏名、患者ＩＤ等）に関するデータ項目を設ける。
【００３６】
図３(Ｂ)は、第２方式カード管理テーブル５２である。このテーブル５２においては、カード発行機能を有する共通リーダライタから第２方式カードのカード発行情報を受信したときに新規レコードが作成される。データ項目としては、例えば「カードＩＤ」、「パスワード」、「職員ＩＤ」、「職員名」「部署名」、「発行年月日」、「初回チャージ額」がある。本実施例では、第２方式カードについてはセキュリティ性を重視し、プリペイド機能は付加的なものと想定しており、個々のカード毎にカード保有者を特定して管理する。
【００３７】
図４(Ａ)は、第１方式カード及び第２方式カードの双方について、個々のカード毎にカード精算履歴及びチャージ履歴を記録するカード精算／チャージ記録テーブル５３である。本実施例では、プリペイド機能に関する処理を行うのは、第１方式リーダライタと共通リーダライタである。このテーブル５３は、発行済みの全てのカードの各々についてレコードを作成しており、第１方式リーダライタまたは共通リーダライタからカード精算情報及びチャージ情報を受信したときに、その情報を逐次記録する。
【００３８】
図４(Ｂ)は、第１方式カード及び第２方式カードの双方について、入退室履歴を記録する入退室記録テーブル５４である。このテーブル５４においては、入退室管理機である共通リーダライタから入退室情報を受信したときに、その情報を逐次記録する。
【００３９】
図５(Ａ)は、職員施設利用記録テーブル５５である。このテーブル５５においては、キャビネットやコピー機等の職員施設に設けた端末である第２方式リーダライタから利用情報を受信したときに、その情報を逐次記録する。
【００４０】
図５(Ｂ)は、就業記録テーブル５６である。このテーブル５６においては、職員の出退勤を管理するタイムカード機等である第２方式リーダライタから出退勤情報を受信したときに、その情報を逐次記録する。
【００４１】
図６は、共通リーダライタの記憶部に予め格納される種々のテーブルの一例を示している。共通リーダライタの具体的機能（売店ＰＯＳレジ端末、食券機、入退室管理機、カード発行／チャージ端末）に応じて格納されるテーブルの内容が異なる。
【００４２】
図６(Ａ)は、売店ＰＯＳレジ端末である共通リーダライタの記憶部に格納されるテーブル３５Ａである。データ項目として「品目」と「単価」がある。本実施例では、カード方式に依らず同じ単価を設定している。
【００４３】
図６(Ｂ)は、食券機である共通リーダライタの記憶部に記憶されるテーブル３５Ｂである。データ項目として「品目」、「第１方式カード用単価」、「第２方式カード用単価」、「現金単価」がある。本実施例では、カード方式により異なる単価を設定している。また、現金の場合も、異なる単価を設定している。
【００４４】
図６(Ｃ)は、入退室管理機である共通リーダライタの記憶部に記憶されるテーブル３５Ｃである。データ項目として「カード方式」、「入退室許可ＩＤ」がある。「入退室許可ＩＤ」は、入退室を許可されるカードＩＤであり、共通リーダライタの入力部から直接入力する方法、あるいは、カード管理サーバ４で設定して共通リーダライタに設定情報を配信する方法がある。
【００４５】
図６(Ｄ)は、カード発行／チャージ端末である共通リーダライタの記憶部に記憶されるテーブル３５Ｄである。データ項目として「カード方式」、「上限金額」がある。「上限金額」は、カード発行時の電子マネーの初期チャージ額及び再チャージ額の上限金額であり、カード方式毎に異なる金額を設定できる。
【００４６】
図７〜図１１は、共通リーダライタ３の処理フローの一例を示している。
図７は、カード発行／チャージ機能を有する共通リーダライタ３における処理フローである。
・カード発行の場合は、ユーザが共通リーダライタの入力部からカード発行要求を入力する。カードチャージの場合は、カード保有者が共通リーダライタにカードをかざし、チャージ要求を入力する。共通リーダライタは、カード発行要求であるか、カードチャージ要求であるを判断する。（ステップ７０１）
・カード発行要求の場合、希望するカード方式の指定を入力させる（ステップ７０２）。
・第２方式カードが指定された場合は、さらにカード保有者の個人情報を入力させる（ステップ７０３）。
・次に、第１方式及び第２方式のいずれの場合も、初期チャージ額を入力させる。また、ステップ７０１においてチャージ要求であった場合も、チャージ額を入力させる。（ステップ７０４）
・入力されたチャージ額が、図６(Ｄ）のテーブル３５Ｄに設定されている上限金額を超えているか否かを判断する（ステップ７０５）。上限金額を超えている場合は、ステップ７０４へ戻り、チャージ額を訂正入力する。
・上限金額を超えていない場合は、現金の投入を促し、現金投入口から現金を投入させる（ステップ７０６）。
・チャージ額と同額の現金が投入されたことを確認した後、カード発行の場合は、未発行カードに入力された初期チャージ額を書き込み、カードを発行する。未発行カードは、いずれもカードＩＤが既に設定されているものとし、カード発行したときは、発行したカードのカードＩＤを記録しておく。また、カードチャージの場合は、入力されたチャージ額でカード残額を更新する書込みを行う。（ステップ７０７）
・サーバ４へ、カード発行情報またはカードチャージ情報を送信する（ステップ７０８）。
・サーバ４は、図３(Ａ)のテーブル５１または図３(Ｂ)のテーブル５２に新規カードの発行情報を記録する。または、図４(Ａ)のテーブル５４にカードチャージ情報を記録する。（ステップ７０９）
【００４７】
図８は、共通リーダライタ３のカード方式判定処理フローの一例を示している。
第１方式カードでは、リーダライタからカードに対して送信される信号は、中心搬送周波数13.56MHz、通信速度106kb/s、変調方式はASK(振幅変調)、AM変調度100％、符号化方法はミラー方式である。一方、カードからリーダライタに対して返信される信号は、中心搬送周波数13.56MHz、通信速度106kb/s、AM変調度100％、変調方式は副搬送波848kHzのASK(振幅変調)、符号化方式はマンチェスター方式である。
第２方式カードでは、リーダライタからカードに対して送信される信号は、中心搬送周波数13.56MHz、通信速度212kb/s、変調方式はASK(振幅変調)、AM変調度10％、符号化方法はマンチェスター方式である。一方、カードからリーダライタに対して返信される信号は、中心搬送周波数13.56MHz、通信速度212kb/s、変調方式はASK(振幅変調)、AM変調度10％、符号化方式はマンチェスター方式である。
・先ず、共通リーダライタ３は、方式不明のカードに対して第１方式のポーリングを送信する（ステップ８０１）。図２(Ａ)または(Ｂ)のいずれかである方式不明のカードは、第１方式のポーリングをアンテナで受信すると、電力供給により起動した制御部が、コード化されたポーリング信号を予め格納されている呼出コードと比較して、自身が呼び出されているか否かを判断する。自身が呼び出されていると判断した場合は、応答コードを変調して共通リーダライタ３に対して返信する。自身が呼び出されていないと判断した場合は、応答コードを返信しない。
・共通リーダライタ３は、第１方式のポーリング送信に対して方式不明のカードから応答コードを受信したか否かを判断する（ステップ８０２）。
・ステップ８０２で応答コードがあった場合は、第１方式カードであると判断し、以後、第１方式で送受信を行い、種々のアプリケーションを実行する（ステップ８０３）。
・ステップ８０２で応答コードが無かった場合は、第２方式のポーリングを送信する（ステップ８０４）。
・共通リーダライタ３は、第２方式のポーリング送信に対して方式不明のカードから応答コードを受信したか否かを判断する（ステップ８０５）。
・ステップ８０５で応答コードがあった場合は、第２方式カードであると判断し、以後、第２方式で送受信を行い、種々のアプリケーションを実行する（ステップ８０６）。
・ステップ８０５で応答コードが無かった場合は、送受信状態不良と判断し、ステップ８０１へ戻り、再度試みる。
【００４８】
図９は、共通リーダライタ３のカード精算処理フローの一例を示している。本実施例の共通リーダライタ３は、例えば図６(Ａ)に示したテーブル３５Ａが格納された売店ＰＯＳレジ端末である。
・共通リーダライタ３は、図８で示したカード方式判定処理を実行し、適用されたカードが第１方式カードであるか、第２方式カードであるかを判定する（ステップ９０１）。
・次に、カードＩＤを読み取る（ステップ９０２）。
・図６(Ａ)のテーブル３５Ａを参照し、表示部に品目と価格を表示する（ステップ９０３）。
・カード保有者が購入を希望する品目の指定を、入力部から入力させる。例えば、タッチスクリーンを兼ねた表示部に表示された品目にタッチする。あるいは、商品に添付されたバーコードを、バーコードリーダーで読み取ってもよい。（ステップ９０４）
・図６(Ａ)のテーブル３５Ａから、指定された品目の価格を取得し、数量に基づき精算金額を決定する（ステップ９０５）。
・精算金額に基づいて、カードの記憶部のチャージ残額を書き換える（ステップ９０６）。
・サーバ４へ、カード精算情報を送信する（ステップ９０７）。
・サーバ４は、図４(Ａ)のテーブル５３にカード精算情報を記録する（ステップ９０８）。
【００４９】
図１０は、共通リーダライタ３のカード精算処理フローの別の例を示している。本実施例の共通リーダライタ３は、例えば図６(Ｂ)に示したテーブル３５Ｂが格納された食券機末である。
・共通リーダライタ３は、図８で示したカード方式判定処理を実行し、適用されたカードが第１方式カードであるか、第２方式カードであるかを判定する（ステップ１００１）。
・次に、カードＩＤを読み取る（ステップ１００２）。
・図６(Ｂ)のテーブル３５Ｂを参照し、カード方式に応じて、対応する品目と価格を表示部に表示する（ステップ１００３）。カード方式によって表示される価格が異なる。
・カード保有者が購入を希望する品目の指定を、入力部から入力させる。例えば、タッチスクリーンを兼ねた表示部に表示された品目にタッチする。あるいは、商品に添付されたバーコードを、バーコードリーダーで読み取ってもよい。（ステップ１００４）。
・図６(Ｂ)のテーブル３５Ｂから、指定された品目についてカード方式に対応した価格を取得し、数量に基づき精算金額を決定する（ステップ１００５）。
・精算金額に基づいて、カードの記憶部のチャージ残額を書き換える（ステップ１００６）。
・サーバ４へ、カード精算情報を送信する（ステップ１００７）。
・サーバ４は、図４(Ａ)のテーブル５３にカード精算情報を記録する（ステップ１００８）。
【００５０】
図１１は、共通リーダライタ３の入退室管理処理フローの一例を示している。本実施例の共通リーダライタ３は、入退室管理機である。入退室管理機は、その部屋の出入口に設置され、ロックの開閉を制御する機能を備えている。
・共通リーダライタ３は、図８で示したカード方式判定処理を実行し、適用されたカードが第１方式カードであるか、第２方式カードであるかを判定する（ステップ１１０１）。
・次に、カードＩＤを読み取る（ステップ１１０２）。
・図６(Ｃ)のテーブル３５Ｃを参照し、読み取ったカードＩＤが入室可であるか否かを判断する（ステップ１１０３）。
・入室不可と判断した場合は、表示部にその旨を表示し、ロック解除しない（ステップ１１０４）。
・入室可と判断した場合は、ロック解除する（ステップ１１０５）。カード保有者が入室した後は、再ロックする。
・その後、サーバ４に入室情報を送信する（ステップ１１０６）。
・サーバ４は、図４(Ｂ)のテーブル５４に入室情報を記録する（ステップ１１０７）。
・カード保有者が退室するときは、再度カード方式判定及びカードＩＤの読取りを行ってロック解除し、カード保有者が退室した後、再ロックする（ステップ１１０８）。
・その後、サーバ４に退室情報を送信する（ステップ１１０９）。
・サーバ４は、図４(Ｂ)のテーブル５４に退室情報を記録する（ステップ１１１０）。
【符号の説明】
【００５１】
１  第１方式カード
２  第２方式カード
３  ２方式カード共通リーダライタ
３１  制御部
３２  送信部
３３  受信部
３４  方式判定部
３５  記憶部
３６  入力部
３７  表示部
３８  ネットワーク部
３９  カード発行部
４  カード管理サーバ
４１  制御部
４２  ネットワーク部
５  データベース
６  第１方式カード専用リーダライタ
７  第２方式カード専用リーダライタ
８  ネットワーク
【図１】
2010165192.tif 000003
【図２】
2010165192.tif 000004
【図３】
2010165192.tif 000005
【図４】
2010165192.tif 000006
【図５】
2010165192.tif 000007
【図６】
2010165192.tif 000008
【図７】
2010165192.tif 000009
【図８】
2010165192.tif 000010
【図９】
2010165192.tif 000011
【図１０】
2010165192.tif 000012
【図１１】
2010165192.tif 000013